(57)【要約】【課題】容易に適切な印刷装置設置店の位置やサービス情報を取得することが可能なデジタル写真印刷サービスシステム及びそのサーバ装置並びに携帯情報端末を提供する。【解決手段】カメラ搭載型の携帯情報端末１０１に、ＧＰＳ装置２０５を搭載し、携帯情報端末の位置情報をインターネット１０４経由で所定の情報サーバ装置１０８に送信し、あらかじめ印刷装置の設置された店舗１０５〜１０７の位置情報が格納された情報サーバ装置１０８により検索を行い、最寄りの店舗の位置情報を提供し、印刷の発注をインターネット経由で行うよう構成している。【選択図】        図１
2004303054.tif 000002
【特許請求の範囲】
【請求項１】
現在位置情報を得るためのＧＰＳ（Ｇｌｏｂａｌ  Ｐｏｓｉｔｉｏｎｉｎｇ  Ｓｙｓｔｅｍ）装置と画像データを得るためのカメラを搭載し、前記現在位置情報と前記画像データをインターネット経由で所望の送信先に送信可能な携帯情報端末と、
複数の店舗にそれぞれ配され、前記インターネットに接続された複数の印刷装置と、
前記インターネットに接続され、前記複数の店舗の位置情報をあらかじめ格納したデータベースを有し、前記携帯情報端末から得た前記現在位置情報を参照して、前記現在位置情報が示す前記携帯情報端末の現在位置に近い店舗を前記複数の店舗から見いだすために、前記携帯情報端末からの検索指示により検索可能とされた情報サーバ装置とを有し、
前記携帯情報端末で得た前記画像データを、前記情報サーバ装置により前記位置情報を得た店舗の前記印刷装置に前記インターネットを経由して送信し、印刷を発注することができるよう構成したデジタル写真印刷サービスシステム。
【請求項２】
前記情報サーバ装置が、前記複数の店舗を候補として前記携帯情報端末に送信する機能を有し、前記携帯情報端末が、前記複数の店舗の中から所望の店舗を選択する機能を有する請求項１に記載のデジタル写真印刷サービスシステム。
【請求項３】
前記情報サーバ装置が、前記複数の印刷装置がそれぞれ設置された店舗の印刷サービス情報を格納していて、前記携帯情報端末により、前記印刷サービス情報を取得できるよう構成した請求項１に記載のデジタル写真印刷サービスシステム。
【請求項４】
前記印刷装置が、印刷の仕上がり状態を前記携帯情報端末に送信する手段を有し、前記携帯情報端末を用いて前記印刷の仕上がり状態を事前に確認できるよう構成した請求項３に記載のデジタル写真印刷サービスシステム。
【請求項５】
携帯情報端末を用いて、前記印刷の仕上がり状態を事前に確認する段階で所望の画像処理を施し、前記画像処理を施した後の画像を印刷した仕上がり状態を確認後、その画像を希望する店舗に設置された印刷装置に印刷サービス情報と共にインターネットを用いて送信し、画像の印刷の発注をするよう構成した請求項４に記載のデジタル写真印刷サービスシステム。
【請求項６】
現在位置情報を得るためのＧＰＳ装置と画像データを得るためのカメラを搭載し、前記現在位置情報と前記画像データをインターネット経由で所望の送信先に送信可能な携帯情報端末と、インターネット経由で通信可能な情報サーバ装置であって、
印刷装置がそれぞれ配された複数の店舗の位置情報をあらかじめ格納しているデータベースと、
前記携帯情報端末から得た前記現在位置情報を参照して、前記現在位置情報が示す前記携帯情報端末の現在位置に近い店舗を前記複数の店舗から見いだすために、前記携帯情報端末からの検索指示により検索する手段と、
前記検索された店舗の情報を前記携帯情報端末に送信する手段とを、
有するデジタル写真印刷サービスシステム用サーバ装置。
【請求項７】
現在位置情報を得るためのＧＰＳ装置と、
画像データを得るためのカメラと、
前記現在位置情報をインターネット経由で、印刷装置がそれぞれ配された複数の店舗の位置情報をあらかじめ格納している所定サーバ装置に送信し、前記画像データを所望の送信先に送信する送信手段と、
前記サーバ装置からインターネット経由で送信されてくる前記現在位置に近い店舗の位置情報を受信する受信手段と、
前記位置情報を得た店舗に前記送信手段を介して前記画像データを送信して、印刷を発注する発注手段とを、
有する携帯情報端末。
【発明の詳細な説明】
【０００１】
【発明の属する技術分野】
本発明は、携帯情報端末で撮影した画像を、ネットワークを用いて所定の場所に送信し、そこでデジタル写真の印刷を行うデジタル写真印刷サービスシステム及びそのサーバ装置並びに携帯情報端末に関する。
【０００２】
【従来の技術】
近年、デジタル写真サービスの分野では、下記の特許文献１に開示されているように、インターネットを利用したネットワークサービスを提供するために、画像データに管理情報を付加する方法が考案されている。  図１０を用いて、従来のデジタル写真サービスシステムについて説明する。デジタルカメラ１００１は、画像を撮影して、光学情報を電子データに変換して、デジタルカメラ１００１内に装填されたメモリカードなどの記録媒体１００２に記憶する。記録媒体１００２は、デジタルカメラ１００１に着脱自在に装填されているので、これを取り出すことにより、そこに蓄積された画像データを、画像処理端末１００３に移動させることが容易である。画像処理端末１００３は、デジタルカメラ１００１で撮影し、記録媒体１００２に蓄積された画像にデジタル処理を施したり、インターネットなどのネットワーク１００４を経由して所定箇所に画像データを送信したり、ネットワーク１００４に接続された印刷装置１００５で画像を印刷するための管理情報の付加を行う。
【０００３】
ネットワーク１００４に接続された印刷装置１００５は、多種多様な印刷サービスに対応することができる。記録媒体１００２には、画像データが画像ファイル１００６として格納される。１つの写真に対応する１つの画像ファイル１００６は、画像データ領域１００８と、タグ領域１００７から構成される。タグ領域１００７は、印刷装置１００５の制御を行うための管理情報が格納される領域である。画像データ領域１００８には、デジタルカメラ１００１で撮影された画像が電子データとして格納されている。
【０００４】
【特許文献１】
特開平１１−１４６３０８号公報（図１、要約書）
【０００５】
ユーザは、デジタルカメラ１００１を用いて、画像を撮影し、デジタルカメラ１００１内の記憶装置に画像データを格納する。そして、撮影された画像の中から印刷を希望するデータを選択し、記録媒体１００２に蓄積し、画像処理端末１００３にデータを移動する。ユーザは、画像処理端末１００３を用いて色合いの変更、画像の拡大、画像の編集などのデジタル処理を施し、画像ファイル１００６の画像データ領域１００８に格納することが可能である。さらに、画像処理端末１００３には、印刷装置１００５が対応しているサービス内容が登録されており、印刷する用紙のサイズ、向き、種類、印刷枚数などのサービスを画像ファイル１００６のタグ領域１００７に格納することができる。これらの手順によって作成された、画像ファイル１００６をネットワーク１００４を経由して、印刷装置１００５に送信する。印刷装置１００５は、ネットワーク１００４から受信した画像ファイル１００６を受信し、画像ファイル１００６の画像領域に格納された画像データをタグ領域１００７に格納された管理情報に基づいたサービス内容で印刷を行う。ユーザは、印刷装置１００５からそのまま印刷された画像を入手することができる。
【０００６】
【発明が解決しようとする課題】
しかしながら、上記に示した従来の技術を用いたデジタル写真印刷サービスでは、印刷を行う印刷装置が特定されてしまう。ユーザが印刷装置を変更するためには、印刷装置が設置されているネットワークに接続し、端末の設定を変更しなければならない。もしくは、印刷装置に直接接続し、データを送信しなければならない。さらに、ユーザが旅行先や出張先などでは、印刷装置の位置やサービス情報を調査し、希望する印刷装置を選択し、選択した印刷装置が設置されているネットワークに接続し、端末の接続、設定の変更を行うという作業は大変な労力であり、印刷サービスを利用することは非常に困難である。
【０００７】
したがって本発明は、デジタルカメラで撮像した画像を印刷するに際し、印刷装置を任意に選択することが可能であり、特にユーザが旅行先や出張先などで、容易に適切な印刷装置の位置やサービス情報を取得することが可能なデジタル写真印刷サービスシステム及びそのサーバ装置並びに携帯情報端末を提供することを目的とする。
【０００８】
【課題を解決するための手段】
上記目的を達成するため、本発明では、従来のカメラ搭載型の携帯情報端末に、ＧＰＳ装置を搭載し、ＧＰＳ装置で得た携帯情報端末の位置情報をインターネット経由で所定のサーバ装置に送信し、印刷装置の設置された複数の店舗の位置情報をあらかじめ格納した前記サーバ装置で、所望の印刷装置のある店舗を検索可能としている。こうして検索された店舗に対して、撮像された画像のデータがインターネット経由で送信され、印刷の発注が行われ、所望の印刷サービスを受けることを可能としている。
【０００９】
すなわち本発明によれば、現在位置情報を得るためのＧＰＳ装置と画像データを得るためのカメラを搭載し、前記現在位置情報と前記画像データをインターネット経由で所望の送信先に送信可能な携帯情報端末と、
複数の店舗にそれぞれ配され、前記インターネットに接続された複数の印刷装置と、
前記インターネットに接続され、前記複数の店舗の位置情報をあらかじめ格納したデータベースを有し、前記携帯情報端末から得た前記現在位置情報を参照して、前記現在位置情報が示す前記携帯情報端末の現在位置に近い店舗を前記複数の店舗から見いだすために、前記携帯情報端末からの検索指示により検索可能とされた情報サーバ装置とを有し、
前記携帯情報端末で得た前記画像データを、前記情報サーバ装置により前記位置情報を得た店舗の前記印刷装置に前記インターネットを経由して送信し、印刷を発注することができるよう構成したデジタル写真印刷サービスシステムが提供される。
【００１０】
この構成により、ユーザは最寄りの店舗の印刷装置を用いてデジタル写真印刷サービスを受けることができる。
【００１１】
また本発明によれば、前記情報サーバ装置が、前記複数の店舗を候補として前記携帯情報端末に送信する機能を有し、前記携帯情報端末が、前記複数の店舗の中から所望の店舗を選択する機能を有する請求項１に記載のデジタル写真印刷サービスシステムが提供される。
【００１２】
この構成により、ユーザは、複数店舗からの所望の店舗の検索を容易に行うことが可能となる。
【００１３】
また本発明によれば、前記情報サーバ装置が、前記複数の印刷装置がそれぞれ設置された店舗の印刷サービス情報を格納していて、前記携帯情報端末により、前記印刷サービス情報を取得できるよう構成した請求項１に記載のデジタル写真印刷サービスシステムが提供される。
【００１４】
この構成により、ユーザは、所望の印刷サービスが可能な最寄りの店舗の印刷装置を用いてデジタル写真印刷サービスを受けることができる。
【００１５】
また本発明によれば、前記印刷装置が、印刷の仕上がり状態を前記携帯情報端末に送信する手段を有し、前記携帯情報端末を用いて前記印刷の仕上がり状態を事前に確認できるよう構成した請求項３に記載のデジタル写真印刷サービスシステムが提供される。
【００１６】
この構成により、ユーザは所望の仕上がり状態を事前に確認してから印刷を発注することができる。
【００１７】
また本発明によれば、携帯情報端末を用いて、前記印刷の仕上がり状態を事前に確認する段階で所望の画像処理を施し、前記画像処理を施した後の画像を印刷した仕上がり状態を確認後、その画像を希望する店舗に設置された印刷装置に印刷サービス情報と共にインターネットを用いて送信し、画像の印刷の発注をするよう構成した請求項４に記載のデジタル写真印刷サービスシステムが提供される。
【００１８】
この構成により、ユーザは所望の画像処理を施した後の仕上がり状態を事前に確認してから印刷を発注することができる。
【００１９】
また本発明によれば、現在位置情報を得るためのＧＰＳ装置と画像データを得るためのカメラを搭載し、前記現在位置情報と前記画像データをインターネット経由で所望の送信先に送信可能な携帯情報端末と、インターネット経由で通信可能な情報サーバ装置であって、
印刷装置がそれぞれ配された複数の店舗の位置情報をあらかじめ格納しているデータベースと、
前記携帯情報端末から得た前記現在位置情報を参照して、前記現在位置情報が示す前記携帯情報端末の現在位置に近い店舗を前記複数の店舗から見いだすために、前記携帯情報端末からの検索指示により検索する手段と、
前記検索された店舗の情報を前記携帯情報端末に送信する手段とを、
有するデジタル写真印刷サービスシステム用サーバ装置が提供される。
【００２０】
この構成により、ユーザは最寄りの店舗の印刷装置を用いてデジタル写真印刷サービスを受けることができる。
【００２１】
また本発明によれば、現在位置情報を得るためのＧＰＳ装置と、
画像データを得るためのカメラと、
前記現在位置情報をインターネット経由で、印刷装置がそれぞれ配された複数の店舗の位置情報をあらかじめ格納している所定サーバ装置に送信し、前記画像データを所望の送信先に送信する送信手段と、
前記サーバ装置からインターネット経由で送信されてくる前記現在位置に近い店舗の位置情報を受信する受信手段と、
前記位置情報を得た店舗に前記送信手段を介して前記画像データを送信して、印刷を発注する発注手段とを、
有する携帯情報端末が提供される。
【００２２】
この構成により、ユーザは最寄りの店舗の印刷装置を用いてデジタル写真印刷サービスを受けることができる。
【００２３】
【発明の実施の形態】
以下、図面を参照して本発明の好ましい実施の形態について説明する。図１は本発明に係るデジタル写真印刷サービスシステム及びそのサーバ装置並びに携帯情報端末の好ましい実施の形態の全体構成を模式的に示す図である。携帯情報端末１０１は、通信機能と撮像機能（単にカメラとも言う）を有するものであり、カメラで撮影された画像を蓄積することができ、無線通信回線を介してインターネットに接続し、データの送受信を行うことができる。また、携帯情報端末１０１は、ＧＰＳ装置を搭載しており、複数のＧＰＳ人工衛星１０３（図では便宜上１つのみを示している）から送信されるデータを用いて、携帯情報端末１０１の現在の位置を算出することができる。無線基地局１０２は、無線通信回線を介して、携帯情報端末１０１とインターネット１０４を接続し、データの送受信を実現する。
【００２４】
インターネット１０４には、無線基地局１０２の他、３つの印刷装置設置店１０５〜１０７、情報サーバ装置１０８が接続されており、各接続先同士のデータの送受信を実現している。印刷装置設置店１０５〜１０７の各店舗の中には、インターネット１０４に接続された印刷装置（図示省略）が設置されている。情報サーバ装置１０８は、各印刷装置設置店１０５〜１０７の位置、サービス内容など多数の情報が格納されており、インターネット１０４を介して送られる要求により、それらの情報を検索し、送信することが可能である。
【００２５】
図２を用いて、本発明の携帯情報端末１０１の構成を説明する。スイッチ部２０１は、一本のアンテナ２００に対する送信信号と受信信号の切換を行うことにより、無線の送信と受信を実現する。復調部２０２は、スイッチ部２０１から受信した無線信号の復調を行い、信号処理部２０４に受信データを出力する。変調部２０３は、信号処理部２０４からの送信データを変調し、スイッチ部２０１に出力する。信号処理部２０４は、復調部２０２から入力された受信データに信号処理を施し、また送信すべきデータに信号処理を施し、変調部２０３に出力する。ＧＰＳ装置２０５は、複数のＧＰＳ人工衛星１０３（図１）から受信した信号から、現在の携帯情報端末１０１の位置（緯度、経度）を算出し、その位置情報をＣＰＵ２０６に出力する。
【００２６】
ＣＰＵ２０６は、画像処理、携帯情報端末１０１のシステム的制御などを行う。表示部２０７は、ＬＣＤなどにより構成されており、ユーザに対する制御画面の表示、カメラ２０９で撮影した画像の表示などを行う。入力装置２０８は、キーボードやタッチパネルなどにより、ユーザからの携帯情報端末１０１の制御情報をＣＰＵ２０６に入力する。カメラ２０９は、画像の撮影を行い電子データに変換する。メモリ制御部Ａ２１０は、信号処理部２０４で使用するデータの記憶装置２１１に対する書き込み、読み出しを行う。記憶装置２１１は、半導体メモリやハードディスク装置などにより構成され、必要なデータを記録する。メモリ制御部Ｂ２１２は、信号処理部２０４以外で使用するデータの記憶装置２１１への書き込み、読み出しを行う。
【００２７】
次に図３のフローチャートに従って上記実施の形態の動作を説明する。  ユーザは、携帯情報端末１０１に搭載されたカメラ２０９を用いて所望の画像を撮影する。撮影された画像は、記憶装置２１１に電子データとして保存されている。ユーザは、撮影した画像を印刷するためには、表示部２０７に表示される画面案内に従って、入力装置２０８を用いて印刷サービス実行を選択する。サービスの選択を行うことにより、携帯情報端末１０１は、無線基地局１０２を介してインターネット１０４に接続し、情報サーバ装置１０８に対して、サービスの開始を通知する（ステップＳ３０１）。次に、ステップＳ３０１の処理により、ＣＰＵ２０６は、ＧＰＳ装置２０５に位置情報の取得を指示し、ＧＰＳ装置２０５は、ＧＰＳ人工衛星１０３から発信されるデータを受信し、位置情報をＣＰＵ２０６に出力する。ＣＰＵ２０６は、ＧＰＳ装置２０５から出力された位置情報を情報サーバ装置１０８に送信する（ステップＳ３０２）。
【００２８】
次に、ステップＳ３０２の処理により受信した位置情報を基に、情報サーバ装置１０８は、データベースに格納されている印刷装置が設置されている店舗の情報を検索し、いくつかの候補となるべき店舗の店舗名、緯度、経度などが含まれる印刷店の候補の情報を選択する（ステップＳ３０３）。次に、情報サーバ装置１０８は、ステップＳ３０３で検索した印刷装置設置店１０５〜１０７の１つの情報を、携帯情報端末１０１に送信する（ステップＳ３０４）。携帯情報端末１０１は、ステップＳ３０４で送信された印刷装置設置店の情報を受信する（ステップＳ３０５）。次に、ＣＰＵ２０６は、ステップＳ３０５で受信した印刷装置設置店の情報を基に、印刷装置設置店とユーザの位置を表示するために必要な地図データを記憶装置２１１から読み出す（ステップＳ３０６）。次に、ＣＰＵ２０６は、ステップＳ３０６で読み出した地図に、印刷装置設置店の位置情報、店舗名、ユーザの存在する位置などの情報を重ねあわせ、表示部２０７に表示する（ステップＳ３０７）。ユーザは、表示部２０７に表示された情報から、印刷を実施する店舗を入力装置２０８を用いて選択する（ステップＳ３０８）。
【００２９】
図３のフローチャートでは、携帯情報端末１０１がＧＰＳ装置２０５により取得した位置情報を用いて印刷装置設置店を検索して、所望の印刷装置設置店を選択しているが、このようにして選択した印刷装置設置店がユーザのニーズに必ずしも十分に応じているか否かは不明である。そこで、選択した印刷装置設置店が提供するサービスについて検索することができるよう構成することができる。
【００３０】
図４は、選択した印刷装置設置店が提供するサービスについて検索する手法を説明するフローチャートである。ユーザは、携帯情報端末１０１の入力装置２０８を用いて、印刷装置設置店を選択すると、情報サーバ装置１０８に、ユーザが選択した印刷装置設置店を特定する情報を、無線基地局１０２を介してインターネット１０４に接続し、情報サーバ装置１０８に送信する（ステップＳ４０１）。次に、情報サーバ装置１０８は、ステップＳ４０１により受信した情報から、情報サーバ装置１０８内に格納されているデータベースから、その印刷装置設置店が提供する印刷サービス情報を検索する（ステップＳ４０２）。この情報には、印刷に必要な費用とその支払方法、印刷を発注してから入手するまでの納期、印紙の素材（絹目、光沢、普通紙、シール、官製葉書など）、サイズ、印刷フレームなどが含まれる。
【００３１】
次に、情報サーバ装置１０８は、ステップＳ４０２で検索した印刷装置設置店が提供する印刷サービス情報を、インターネット１０４を経由して、情報携帯端末１０１に送信する（ステップＳ４０３）。次に、携帯情報端末１０１は、ステップＳ４０３で送信された印刷サービス情報を受信し、記憶装置２１１に保存する（ステップＳ４０４）。次に、ＣＰＵ２０６は、記憶装置２１１に保存された印刷サービス情報を読み出し、表示部２０７に表示する（ステップＳ４０５）。次に、ユーザは、ステップＳ４０５で表示部２０７に表示された印刷サービス情報を、入力装置２０８を用いて希望するサービス内容を選択する（ステップＳ４０６）。
【００３２】
次に印刷サービス情報を用いて、印刷画像の仕上がり状態を事前に確認する手法について図５のフローチャートを用いて説明する。ユーザは、携帯情報端末１０１の入力装置２０８を用いて、印刷サービス情報を選択すると、情報サーバ装置１０８に、ユーザが選択した印刷装置設置店とそのサービス内容を特定する情報を、無線基地局１０２を介してインターネット１０４に接続し、情報サーバ装置１０８に送信する（ステップＳ５０１）。次に、情報サーバ装置１０８は、ステップＳ５０１により受信した情報から、情報サーバ装置１０８内に格納されているデータベースから、ユーザが選択するその印刷装置設置店が提供する印刷サービスデータを検索する（ステップＳ５０２）。
【００３３】
印刷サービスデータには、印刷装置設置店が提供する印刷フレームの画像データなどが含まれ、携帯情報端末１０１上で、印刷結果の仕上がり状態を確認するために必要なデータである。次に、情報サーバ装置１０８は、ステップＳ５０２で検索した印刷装置設置店が提供する印刷サービスデータを、インターネット１０４を経由して、情報携帯端末１０１に送信する（ステップＳ５０３）。次に、携帯情報端末１０１は、ステップＳ５０３で送信された印刷サービスデータを受信し、記憶装置２１１に保存する（ステップＳ５０４）。次に、ＣＰＵ２０６は、記憶装置２１１に保存された印刷サービスデータを読み出し、表示部２０７に印刷フレームを表示する（ステップＳ５０５）。
【００３４】
次に、ユーザは、入力装置２０８を用いて、印刷を希望する画像データを選択する（ステップＳ５０６）。次に、ＣＰＵ２０６は、ステップＳ５０５で表示部２０７に表示された印刷フレームに、ステップＳ５０６で選択された画像を重ね合わせて表示するように画像を処理し、その画像処理結果を記憶装置２１１に保存する（ステップＳ５０７）。次に、ＣＰＵ２０６は、ステップＳ５０７で生成された画像データを記憶装置２１１から読み出し、表示部２０７に表示する（ステップＳ５０８）。
【００３５】
次に印刷サービス情報を用いて、印刷画像の仕上がり状態を事前に確認し、必要に応じて画像処理を行う手法について図６のフローチャートを用いて説明する。ユーザは、携帯情報端末１０１の入力装置２０８を用いて、印刷サービス情報を選択すると、情報サーバ装置１０８に、ユーザが選択した印刷装置設置店とそのサービス内容を特定する情報を、無線基地局１０２を介してインターネット１０４に接続し、情報サーバ装置１０８に送信する（ステップＳ６０１）。次に、情報サーバ装置１０８は、ステップＳ６０１により受信した情報から、情報サーバ装置１０８内の格納されているデータベースから、ユーザが選択するその印刷装置設置店が提供する印刷サービスデータを検索する（ステップＳ６０２）。
【００３６】
印刷サービスデータには、印刷装置設置店が提供する印刷フレームの画像データなどが含まれ、携帯情報端末１０１上で、印刷結果の仕上がり状態を確認するために必要なデータである。次に、情報サーバ装置１０８は、ステップＳ６０２で検索した印刷装置設置店が提供する印刷サービスデータを、インターネット１０４を経由して、情報携帯端末１０１に送信する（ステップＳ６０３）。次に、携帯情報端末１０１は、ステップＳ６０３で送信された印刷サービスデータを受信し、記憶装置２１１に保存する（ステップＳ６０４）。次に、ＣＰＵ２０６は、記憶装置２１１に保存された印刷サービスデータを読み出し、表示部２０７に印刷フレームを表示する（ステップＳ６０５）。
【００３７】
次に、ユーザは、入力装置２０８を用いて、印刷を希望する画像データを選択する（ステップＳ６０６）。次に、ＣＰＵ２０６は、ステップＳ６０５で表示部２０７に表示された印刷フレームに、ステップＳ６０６で選択された画像を重ね合わせて表示するための画像処理を実施し、その画像処理結果を記憶装置２１１に保存する（ステップＳ６０７）。次に、ＣＰＵ２０６は、ステップＳ６０７で生成された画像データを記憶装置２１１から読み出し、表示部２０７に表示する（ステップＳ６０８）。次に、ユーザは、ステップＳ６０８によって表示部２０７に表示された画像に対して、希望する画像編集を行い、編集結果を記憶装置２１１に保存する（ステップＳ６０９）。ここで、ユーザが実施する画像編集とは、色合いの変更、画像の拡大、画像の編集などのデジタル画像処理を意味する。次に、ＣＰＵ２０６は、ステップＳ６０９で生成された画像データを記憶装置２１１から読み出し、表示部２０７に表示する（ステップＳ６１０）。
【００３８】
次に印刷装置設置店に対して印刷の発注を行う手法について図７のフローチャートにより説明する。ユーザは、図３のフローに従って、携帯情報端末１０１で撮影した画像を印刷する印刷装置設置店を選択する（ステップＳ７０１）。ユーザは、入力装置２０８を用いて、表示部２０７に表示される画面案内に従って画像データをステップＳ７０１で選択した印刷装置設置店（ここでは印刷装置設置店１０５が選択されたものとする。以下同様）で印刷するための発注情報を作成する（ステップＳ７０２）。発注情報には、印刷を発注する印刷装置設置店１０５の名称、印刷発注者名、連絡先、印刷する画像データのファイル名、印刷発注日時、印刷完了予定日時、印刷枚数、支払方法など必要な情報が含まれる。
【００３９】
次に、ＣＰＵ２０６は、ステップＳ７０２で作成した発注情報を画像データのタグに付加する（ステップＳ７０３）。タグとは、画像ファイル１００６のタグ領域１００７に付加される情報である。次に、ユーザは、ステップＳ７０３でタグが付加された画像ファイルを、インターネット１０４を経由して、印刷装置設置店１０５に送信する（ステップＳ７０４）。次に、印刷装置設置店１０５では、ステップＳ７０４で送信された画像ファイルを受信する（ステップＳ７０５）。次に、印刷装置設置店１０５は、ステップＳ７０５で受信した画像ファイルに付加されたタグからユーザの発注情報を読み取り、発注内容を確認し、印刷受付データを作成する（ステップＳ７０６）。
【００４０】
印刷受付データには、印刷を受け付けた印刷装置設置店１０５の名称、印刷発注者名、連絡先、印刷する画像データのファイル名、印刷発注日時、印刷完了予定日時、支払方法など必要な情報が含まれる。次に、印刷装置設置店１０５は、ステップＳ７０６で作成した印刷受付データを、インターネット１０４を経由して、携帯情報通信端末１０１に送信する（ステップＳ７０７）。次に、ユーザは、携帯情報端末１０１を用いてステップＳ７０７で送信された印刷受付データを受信し（ステップＳ７０８）、表示部２０７に表示された受付内容を確認する。
【００４１】
次に印刷装置設置店１０５に対して印刷の発注を行う他の手法について図４及び図８のフローチャートにより説明する。図８の発注手法は、最初から印刷装置設置店１０５を選択して指定する図７の手法とは異なり、ユーザが希望する印刷サービス情報から希望する印刷装置設置店を選択するものである。ユーザは、図４に示したフローに従って、携帯情報端末１０１で撮影した画像を印刷する印刷装置設置店１０５の印刷サービス情報を選択する（ステップＳ８０１）。ユーザは、入力装置２０８を用いて、表示部２０７に表示される画面案内に従って画像データをステップＳ８０１で選択した印刷装置設置店１０５で印刷するための発注情報を作成する（ステップＳ８０２）。
【００４２】
発注情報には、印刷を発注する印刷装置設置店１０５の名称、印刷発注者名、連絡先、印刷する画像データのファイル名、印刷フレーム名、印刷発注日時、印刷完了予定日時、印刷用紙、印刷サイズ、印刷枚数、支払方法など必要な情報が含まれる。次に、ＣＰＵ２０６は、ステップＳ８０２で作成した発注情報を画像データのタグに付加する（ステップＳ８０３）。タグとは、画像ファイル１００６のタグ領域１００７に付加される情報である。次に、ユーザは、ステップＳ８０３でタグが付加された画像ファイルを、インターネット１０４を経由して、印刷装置設置店１０５に送信する（ステップＳ８０４）。次に、印刷装置設置店１０５では、ステップＳ８０４で送信された画像ファイルを受信する（ステップＳ８０５）。
【００４３】
次に、印刷装置設置店１０５は、ステップＳ８０５で受信した画像ファイルに付加されたタグから、ユーザの発注情報を読み取り、発注内容を確認し、印刷受付データを作成する（ステップＳ８０６）。印刷受付データには、印刷を受け付けた印刷装置設置店１０５の名称、印刷発注者名、連絡先、印刷する画像データのファイル名、印刷フレーム名、印刷発注日時、印刷完了予定日時、支払方法など必要な情報が含まれる。なお、上記「印刷フレーム名」とは、写真の周りに合成される「枠」や「吹き出し」のイメージなどで、プリクラ（Ｒ）として知られている写真サービスで用いられている写真の装飾手法を特定するものである。次に、印刷装置設置店１０５は、ステップＳ８０６で作成した印刷受付データを、インターネット１０４を経由して、携帯情報通信端末１０１に送信する（ステップＳ８０７）。次に、ユーザは、携帯情報端末１０１を用いてステップＳ８０７で送信された印刷受付データを受信し（ステップＳ８０８）、表示部２０７に表示された受付内容を確認する。
【００４４】
次に印刷サービス情報を用いて、印刷画像の仕上がり状態を事前に確認し、画像データを希望する印刷装置設置店１０５に送信して、印刷を発注する手法について図５及び図９のフローチャートを用いて説明する。ユーザは、図５に示したフローに従って、携帯情報端末１０１で撮影した画像とフレームから、印刷装置設置店１０５での印刷状態を表示し、確認する（図９のステップＳ９０１）。ユーザは、入力装置２０８を用いて、表示部２０７に表示される画面案内に従って画像データをステップＳ９０１で選択した印刷装置設置店１０５で印刷するための発注情報を作成する（ステップＳ９０２）。
【００４５】
発注情報には、印刷を発注する印刷装置設置店１０５の名称、印刷発注者名、連絡先、印刷する画像データのファイル名、印刷フレーム名、印刷発注日時、印刷完了予定日時、印刷枚数、支払方法など必要な情報が含まれる。次に、ＣＰＵ２０６は、ステップＳ９０２で作成した発注情報を画像データのタグに付加する（ステップＳ９０３）。タグとは、画像ファイル１００６のタグ領域１００７に付加される情報である。次に、ユーザは、ステップＳ９０３でタグが付加された画像ファイル１００６を、インターネット１０４を経由して、印刷装置設置店１０５に送信する（ステップＳ９０４）。
【００４６】
次に、印刷装置設置店１０５では、ステップＳ９０４で送信された画像ファイルを受信する（ステップＳ９０５）。次に、印刷装置設置店１０５は、ステップＳ９０５で受信した画像ファイルに付加されたタグからユーザの発注情報を読み取り、発注内容を確認し、印刷受付データを作成する（ステップＳ９０６）。印刷受付データには、印刷を受け付けた印刷装置設置店１０５の名称、印刷発注者名、連絡先、印刷する画像データのファイル名、印刷フレーム名、印刷発注日時、印刷完了予定日時、支払方法など必要な情報が含まれる。次に、印刷装置設置店１０５は、ステップＳ９０６で作成した印刷受付データを、インターネット１０４を経由して、携帯情報通信端末１０１に送信する（ステップＳ９０７）。次に、ユーザは、携帯情報端末１０１を用いてステップＳ９０７で送信された印刷受付データを受信し（ステップＳ９０８）、表示部２０７に表示された受付内容を確認する。
【００４７】
次に印刷サービス情報を用いて、印刷画像の仕上がり状態を事前に確認し、必要に応じて画像処理を施し、画像データを希望する印刷装置設置店１０５に送信して、印刷を発注する手法について図６及び図９のフローチャートを用いて説明する。ユーザは、図６に示したフローに従って、携帯情報端末１０１で撮影した画像に画像処理を施し、印刷装置設置店１０５での印刷状態を表示し、確認する（図９のステップＳ９０１）。ユーザは、入力装置２０８を用いて、表示部２０７に表示される画面案内に従って画像データをステップＳ９０１で選択した印刷装置設置店１０５で印刷するための発注情報を作成する（ステップＳ９０２）。
【００４８】
発注情報には、印刷を発注する印刷装置設置店１０５の名称、印刷発注者名、連絡先、印刷する画像データのファイル名、印刷フレーム名、印刷発注日時、印刷完了予定日時、印刷枚数、支払方法など必要な情報が含まれる。次に、ＣＰＵ２０６は、ステップＳ９０２で作成した発注情報を画像データのタグに付加する（ステップＳ９０３）。タグとは、画像ファイル１００６のタグ領域１００７に付加される情報である。次に、ユーザは、ステップＳ９０３でタグが付加された画像ファイルを、インターネット１０４を経由して、印刷装置設置店１０５に送信する（ステップＳ９０４）。次に、印刷装置設置店１０５では、ステップＳ９０４で送信された画像ファイルを受信する（ステップＳ９０５）。
【００４９】
次に、印刷装置設置店１０５は、ステップＳ９０５で受信した画像ファイルに付加されたタグからユーザの発注情報を読み取り、発注内容を確認し、印刷受付データを作成する（ステップＳ９０６）。印刷受付データには、印刷を受け付けた印刷装置設置店１０５の名称、印刷発注者名、連絡先、印刷する画像データのファイル名、印刷フレーム名、印刷発注日時、印刷完了予定日時、支払方法など必要な情報が含まれる。次に、印刷装置設置店１０５は、ステップＳ９０６で作成した印刷受付データを、インターネット１０４を経由して、携帯情報通信端末１０１に送信する（ステップＳ９０７）。次に、ユーザは、携帯情報端末１０１を用いてステップＳ９０７で送信された印刷受付データを受信し（ステップＳ９０８）、表示部２０７に表示された受付内容を確認する。
【００５０】
【発明の効果】
以上説明したように、本発明では、従来の携帯情報端末に、ＧＰＳ装置を搭載し、携帯端末の位置情報と印刷装置設置店の位置情報や印刷サービス情報を記録し、検索することができる情報サーバ装置をインターネットに接続するようにしたので、ユーザは、携帯情報端末を用いて撮影した画像を印刷するために、携帯端末の位置情報と情報サーバ装置に格納された印刷装置設置店の位置や印刷サービスの情報から印刷装置設置店を選択し、印刷することが可能となる。また情報サーバ装置に格納された印刷サービスデータをインターネット経由で取得することにより画像処理の付加、仕上がりの状態を確認した後、印刷サービスの発注が可能となる。
【図面の簡単な説明】
【図１】本発明の実施の形態の全体構成を示す模式図
【図２】本発明の実施の形態の携帯情報端末の構成を示す模式図
【図３】本発明の実施の形態の携帯情報端末の動作を示すフローチャート
【図４】図３で選択した印刷装置設置店が提供するサービスについて検索する手法を示すフローチャート
【図５】図４で得られた印刷サービス情報を用いて、印刷画像の仕上がり状態を事前に確認する手法を示すフローチャート
【図６】図５で確認した印刷画像の仕上がり状態に、画像処理を行う手法を示すフローチャート
【図７】印刷の発注を行う手法を示すフローチャート
【図８】希望する印刷サービス情報により印刷装置設置店を選択し、印刷の発注を行う手法を示すフローチャート
【図９】印刷画像の仕上がり状態を事前に確認して印刷を発注する手法を示すフローチャート
【図１０】従来のデジタル写真サービスをシステムを示す模式図
【符号の説明】
１０１  携帯情報端末
１０２  無線基地局
１０３  ＧＰＳ人工衛星
１０４  インターネット
１０５、１０６、１０７  印刷装置設置店
１０８  情報サーバ装置
２００  アンテナ
２０１  スイッチ部
２０２  復調部
２０３  変調部
２０４  信号処理部
２０５  ＧＰＳ装置
２０６  ＣＰＵ
２０７  表示部
２０８  入力装置
２０９  カメラ
２１０  メモリ制御部Ａ
２１１  記憶装置
２１２  メモリ制御部Ｂ
１００１  デジタルカメラ
１００２  記録媒体
１００３  画像処理端末
１００４  ネットワーク
１００５  印刷装置
１００６  画像ファイル
１００７  タグ領域
１００８  画像データ領域
【図１】
2004303054.tif 000003
【図２】
2004303054.tif 000004
【図３】
2004303054.tif 000005
【図４】
2004303054.tif 000006
【図５】
2004303054.tif 000007
【図６】
2004303054.tif 000008
【図７】
2004303054.tif 000009
【図８】
2004303054.tif 000010
【図９】
2004303054.tif 000011
【図１０】
2004303054.tif 000012